(57)【要約】      （修正有）【課題】住宅近辺等に生息し、餌を求めて飛来するハシブトガラス、ハシボソガラス等が、家庭、店舗等で発生する台所生ごみ等を収納し、ゴミステーション等に集積したゴミ袋を食い散らす採餌行動を規制すると共に、ヒトの住環境悪化を防止し、かつ、ゴミ袋を定期的に収集する、自治体の規定にも適合する、製作コストが安価な、ゴミ袋Ｇを提供する。【解決手段】透明又は半透明の軟質合成樹脂フィルムからなる、上部を開口１ｃした有底の袋本体１と、頭部２ａ、嘴２ｃから爪部及び翼先端部まで直立する、成鳥のハシブトガラスと等身大又はこれより大とした絵、又は写真２とからなり、該ハシブトガラスの絵、又は写真２を、袋本体１の正面部表面に表示してなる。【選択図】図１
0003141367.tif 000002
【実用新案登録請求の範囲】
【請求項１】
透明又は半透明の軟質合成樹脂フィルムからなる、上部を開口した有底の袋本体と、
頭部、嘴から爪部及び翼先端部まで直立する、成鳥のハシブトガラスと等身大又はこれより大とした絵、又は写真とからなり、
該ハシブトガラスの絵、又は写真を、前記袋本体の正面部表面に表示したことを特徴とする、鳥類等接近防止用ゴミ袋。
【請求項２】
前記袋本体の高さ及び巾寸法は、少なくともハシブトガラスの絵、又は写真より大とし、該ハシブトガラスの絵、又は写真の上下及び左右に余白部を形成していることを特徴とする、請求項１に記載の鳥類等接近防止用ゴミ袋。
【請求項３】
前記ハシブトガラスの絵、又は写真において、該ハシブトガラスの頭部、顔面及び嘴は、左向き又は右向きに描かれているか、又は写されたものであることを特徴とする、請求項１〜請求項２の何れかに記載の鳥類等接近防止用ゴミ袋。 
【請求項４】
前記ハシブトガラスの絵、又は写真は、袋本体の表面に印刷又は貼付して表示されていることを特徴とする、請求項１〜請求項３の何れかに記載の鳥類等接近防止用ゴミ袋。
【請求項５】
前記袋本体に表示されたハシブトガラスの眼玉は、絵、写真又は立体状目玉であり、該立体状眼玉は、円形台板からなる白目部、円形で黒色の黒目部、硬質樹脂材からなる透明な円形ケース及び接着剤からなることを特徴とする、請求項１〜請求項４の何れかに記載の鳥類等接近防止用ゴミ袋。
【請求項６】
前記袋本体に表示されたハシブトガラスの裏面には、当該ゴミ袋の使用法、お願い及びゴミ袋の収集者の名称等が表記されていることを特徴とする、請求項１〜請求項５の何れかに記載の鳥類等接近防止用ゴミ袋。
【請求項７】
前記袋本体の素材である軟質合成樹脂フィルムが、ポリオレフィン系合成樹脂材であることを特徴とする、請求項１〜請求項６の何れかに記載の鳥類等接近防止用ゴミ袋。
【考案の詳細な説明】
【技術分野】
【０００１】
本考案は、鳥類等接近防止用ゴミ袋に係り、より詳しくは、家庭、店舗等で発生する台所生ごみ等を収納し、歩道又はごみステーション等に集積された合成樹脂製ゴミ袋を喰い破り、ゴミ袋内の残余物類を食い散らす、住宅近隣等に生息する鳥類、特にカラス、トビ等の行動に影響を与え、これらの鳥類が、ゴミ袋に接近することを防止することが可能な、鳥類等接近防止用ゴミ袋に関する。
【背景技術】
【０００２】
近年、鳥類、特にカラス、トビ等が生息し、採餌領域である森林の減少や地球環境等の変化、影響等により、カラス、トビ類は、餌の捕食が困難となってきている。そのため、都市部はもちろん、地方都市において、特にハシブトカラス、トビ類は、住宅街又は飲食店街で発生する、残余物類の生ごみが収納されたゴミ袋を狙って飛来し、ごみステーションに集積されたゴミ袋を食い破り、ゴミ袋内の残余物、容器等が周囲に散乱するので、住宅街及び飲食店街等は、極めて非衛生的となると共に、住宅、道路等の美観は損なわれ、劣悪な環境となり、社会問題化している。
【０００３】
これらの問題に対する解決策として、種々の提案がなされている。例えば、特許文献１の「ゴミ袋に被せるカラス撃退ネット」（特開２００５−２７２１４１）、特許文献２の「鳥獣害侵入防止ネット装置」（登実３０６１９８８）のようなネット方式が開示されている。これらのネット方式では、ネットをゴミ袋への被覆、ゴミ袋収集員の収集作業及びネットの撤収作業等が煩瑣であり、またハシブトガラスは、網目の間から鋭い嘴でゴミ袋を食い破り袋内の残余物をあさったり、ネットそのものを切断したりするので、有効な解決策とはなっていない、のみならずネットの耐久性と経済性にも問題がある。
【０００４】
特許文献３の「イヌ、ネコ、カラスの害を防ぐゴミ袋」（登実３００７１７１）は、イヌ、ネコが嫌う嫌厭物質とカラスの嫌う磁石とを合成樹脂で混合ねり合わせたフイルム状の共有体により、袋状体のゴミ袋を構成している。また、特許文献４の「強化ごみ収集袋」（特開平１１−２８６３０１）は、ごみ収集袋の底部に、吸収剤を設け、吸収剤の表面を吸湿性のカバーで被覆することを特徴としている。特許文献５の「カラス・ねずみ・防止ゴミ袋」（特開２００２−２５５３０１）は、ポリエチレンを素材としたゴミ袋（１）に、綿糸又は、麻糸、又は紙紐（２）が溶着させてあり、この網に、カラス、鼠に対して忌避効果の有る成分が含ませてあることを特徴としている。特許文献６の「カラス対策商品」（特開２００５−６５６７７）は、カラスが近ずかない黄色系の商品（ゴミ袋、網ネット、シート）により、生ゴミのカラスによる食い散らしを解消することを特徴とし、また、特許文献７の「カラス撃退用のゴミ袋」（特開２００２−４６８０２）は、ゴミ袋の外壁の全面、又は外壁を部分的に光沢を有する銀色に施したところを特徴としている。さらに、特許文献８の「ゴミ袋」（特開２００５−１７０５５３）は、通気孔を有する袋材からなり、袋材に動物撃退手段を設けたことを特徴とし、動物撃退手段が、袋材中に含有する動物忌避剤であり、袋材表面に付着する動物忌避剤であり、袋材表面に設けた動物撃退用ホログラムであることを特徴としている。
【０００５】
上記の特許文献３〜特許文献８は、ゴミ袋を食い破る鳥類、動物からのゴミ袋防護対策として、その材質、構造、色彩又は図形入り等、種々の考案が提案されているが、これらの提案は、いずれも実効性がないか、又はコスト高であるという問題点が解消されていない現状にある。
【０００６】
【特許文献１】特開２００５−２７２１４１号公報
【特許文献２】登録実用新案第３０６１９８８号公報
【特許文献３】登録実用新案第３００７１７１号公報
【特許文献４】特開平１１−２８６３０１号公報
【特許文献５】特開特開２００２−２５５３０１号公報
【特許文献６】特開２００５−６５６７７号公報
【特許文献７】特開２００２−４６８０２号公報
【特許文献８】特開２００５−１７０５５３号公報
【考案の開示】
【考案が解決しようとする課題】
【０００７】
本考案が解決しようとする課題は、住宅近辺等に生息し、餌を求めて飛来する鳥類、特にハシブトガラス、ハシボソガラス又はトビ等が、家庭、店舗等で発生する台所生ごみ等を収納し、ゴミステーション等に集積したゴミ袋を食い散らす採餌行動を規制すると共に、ヒトの住環境の悪化を防止し、かつ、ゴミ袋を定期的に収集する、自治体の規定にも適合する、製作コストが安価な、鳥類等接近防止用ゴミ袋を提供することにある。
【課題を解決するための手段】
【０００８】
本考案者は、上記、鳥類特にカラス等によるゴミ被害防止策に関する、従来技術の各種問題点に鑑み、その有効な解決策について、鋭意検討を重ね、日本にいるカラスのうち、ハシブトガラスは、最大で、主食である木の実類の他、他の鳥の巣を襲って卵や雛、ときには動物の死肉をも餌にする、いわゆる雑食性鳥類で、ゴミステーション等に集積したゴミ袋を食い散らす主役であることを確認した。また、ハシブトガラスは、視力が良いうえに、警戒心が強く、採餌行動するときは、電柱や高い木等の高所から餌を見つける習性と、自己より体が大きい同種のハシブトガラスには、接近しない習性等があることに着目し、本考案者は、従来技術では想到されなかった、本考案を完成したたものである。
【０００９】
課題を解決するための手段は、本願、実用新案登録請求の範囲の各請求項に記載の考案であり、その具体的な解決手段は、以下の通りである。
【００１０】
課題を解決するための第１の考案は、請求項１に記載の考案であり、  
透明又は半透明の軟質合成樹脂フィルムからなる、上方を開口した有底の袋本体と、
頭部、嘴から爪部及び翼先端部まで直立する、成鳥のハシブトガラスと等身大又はこれより大とした絵、又は写真とからなり、
該ハシブトガラスの絵、又は写真を、前記袋本体の正面部表面に表示したことを特徴としている。
【００１１】
課題を解決するための第２の考案は、請求項２に記載の考案であり、 
前記袋本体の高さ及び巾寸法は、少なくともハシブトガラスの絵、又は写真より大とし、該ハシブトガラスの絵、又は写真の上下及び左右に余白部を形成していることを特徴としている。
【００１２】
課題を解決するための第３の考案は、請求項３に記載の考案であり、
前記ハシブトガラスの絵、又は写真において、該ハシブトガラスの頭部、顔面及び嘴は、左向き又は右向きに描かれているか、又は写されたものであることを特徴としている。
【００１３】
課題を解決するための第４の考案は、請求項４に記載の考案であり、
前記ハシブトガラスの絵、又は写真は、袋本体の表面に印刷又は貼付して表示されていることを特徴としている。
【００１４】
課題を解決するための第５の考案は、請求項５に記載の考案であり、
前記袋本体に表示されたハシブトガラスの眼玉は、絵、写真又は立体状目玉であり、該立体状眼玉は、円形台板からなる白目部、円形で黒色の黒目部、硬質樹脂材からなる透明な円形ケース及び接着剤からなることを特徴としている。
【００１５】
課題を解決するための第６の考案は、請求項６に記載の考案であり、
前記袋本体に表示されたハシブトガラスの裏面には、当該ゴミ袋の使用法、お願い及びゴミ袋の収集者の名称等が表記されていることを特徴としている。
【００１６】
課題を解決するための第７の考案は、請求項７に記載の考案であり、
前記袋本体の素材である軟質合成樹脂フィルムが、ポリオレフィン系合成樹脂材であることを特徴としている。
【考案の効果】
【００１７】
本考案に係る、鳥類等接近防止用ゴミ袋は、上記の構成になるから以下の効果を奏する。即ち、第１の考案によれば、
透明又は半透明の軟質合成樹脂フィルムからなる、上部を開口した有底の袋本体と、
頭部、嘴から爪部及び翼先端部まで直立する、成鳥のハシブトガラスと等身大又はこれより大とした絵、又は写真とからなり、
該ハシブトガラスの絵、又は写真を、前記袋本体の正面部表面に表示してなるから、
住宅近辺等に生息し、餌を求めて飛来する鳥類、特にハシブトガラス、ハシボソガラス又はトビ等が、家庭、店舗等で発生する台所生ごみ等を収納し、ゴミステーション等に集積したゴミ袋を食い散らす採餌行動を規制すると共に、ヒトの住環境の悪化を防止し、かつ、ゴミ袋を定期的に収集する、自治体の規定にも適合する、製作コストが安価な、鳥類等接近防止用ゴミ袋の提供という、本考案の課題を解決することができた。即ち、ゴミ袋を食い破り、袋内の残余物をあさるのは、主にハシブトガラスであり、該ハシブトガラスは警戒心が強く、また体長が自己より大なるものには接近しない習性を利用して、ハシブトガラス、ハシボソガラス又はトビ等が、ゴミステーション等のゴミ袋に接近することを防止し、かつヒトの住環境の悪化をも防止することができる。さらに、袋本体の素材は、透明又は半透明の軟質合成樹脂フィルムからなるので、ゴミ袋は、その収集者である自治体が、分別のために要望するゴミ袋内の中味を確認できる素材であり、また該フィルムは、ポリオレフィン系合成樹脂材、例えばポリプロピレン樹脂等のように、燃焼時に有毒又は有害なガスを発生しないので、ゴミ袋を定期的に収集する、自治体の規定にも適合し、さらにゴミ袋は、大量かつ迅速に量産することが可能であるから、製作コストも安価とする効果をも奏する。
【００１８】
第２の考案によれば、
袋本体の高さ及び巾寸法は、少なくともハシブトガラスの絵、又は写真より大とし、該ハシブトガラスの絵、又は写真の上下及び左右に余白部を形成しているので、
生ごみ類を袋本体に収納し、開口部を閉じる前、袋本体の上下及び左右に形成した余白部を利用し、袋内の生ごみ類を前後左右に揺動させ、ハシブトガラスの絵、又は写真を袋本体の中央に位置決めすることが容易であり、また、ハシブトガラスの頭部、嘴から爪部、翼先端部までの全体を表示することができるので、電柱や木の上等からゴミ袋を狙っている、本物のハシブトガラスに警戒心を与え、ゴミ袋に接近することを防止できる。
【００１９】
第３の考案によれば、
ハシブトガラスの絵、又は写真において、該ハシブトガラスの頭部、顔面及び嘴は、左向き又は右向きに描かれているか、又は写されたものであるので、
常に、ゴミ袋のハシブトガラスは、ゴミ袋の周囲を見回している状態となっているから、第２考案の効果と同様に、ゴミ袋を狙っている、本物のハシブトガラスに脅威と警戒心を与えることができる。
【００２０】
第４の考案によれば、
ハシブトガラスの絵、又は写真は、袋本体の表面に印刷又は貼付して表示されているから、
ゴミ袋の製作工程は、所定の寸法に裁断された袋本体の正面部表面に、ハシブトガラスの絵、又は写真を印刷又は貼付する工程と、裏面には、ゴミ袋の使用法、お願い及びゴミ袋収集者の名称等を印刷する工程のみで、大量にかつ迅速に行うことができ、さらに、袋本体の素材は、原料費が安価な軟質合成樹脂フィルムからなるので、製作コストを廉価とすることができる。
【００２１】
第５の考案によれば、  
袋本体に表示されたハシブトガラスの眼玉は、絵、写真又は立体状眼玉であり、該立体状眼玉は、円形台板からなる白目部、円形で黒色の黒目部、硬質樹脂材からなる透明な円形ケース及び接着剤からなるから、
ハシブトガラスの眼玉が、絵又は写真で表示されているので、本物のハシブトガラスに十分に警戒心を与えることができ、さらに立体状眼玉の黒目は、白目部と透明な円形ケース内で、ゴミ袋の揺動や少しの衝撃でくるくる回動（動眼）するので、視力の良い本物のハシブトガラスは、これに驚き、より強い警戒心をいだき、ゴミ袋への接近を思いとどまらせる効果を奏する。
【００２２】
第６の考案によれば、
袋本体に表示されたハシブトガラスの裏面には、当該ゴミ袋の使用法、お願い及びゴミ袋の収集者の名称等が表記されているので、                                       ゴミ袋の収集者である自治体と地域住民が一致協力し、ゴミ袋を食い散らすハシブトガラスを住宅近辺等から駆逐し、ヒトの住環境悪化を防止することができる。         
【００２３】
第７の考案によれば、
袋本体の素材である軟質合成樹脂フィルムが、ポリオレフィン系合成樹脂材であるから、
ゴミ袋を焼却処理するに際し、ポリオレフィン系合成樹脂材、例えば、ポリプロピレン樹脂等は、ダイオキシン等の有毒又は有害なガスを発生しないので、自治体の規定にも適合する。
【考案を実施するための最良の形態】
【００２４】
以下、本考案に係る、鳥類等接近防止用ゴミ袋（以下、ゴミ袋Ｇという）の好適な実施形態について、図面を参照しながら説明する。図１は、ゴミ袋Ｇの正面図、図２（Ａ）は、立体状目玉の正面図、（Ｂ）は、図２（Ａ）におけるＢ−Ｂ線断面図、図３は、本考案に係る、ゴミ袋Ｇの背面図、図４は、同ゴミ袋Ｇの使用態様を示す斜視図である。
【００２５】
図１に示すゴミ袋Ｇは、袋本体１とハシブトガラスの絵、又は写真２とからなり、該
ハシブトガラスの絵、又は写真２は、袋本体１の正面部表面１ａに描くか、印刷表示されている。１ｂは、袋本体１の上下及び左右に形成した余白部であり、１ｃは開口、１ｄは底部で、１ｅは開口１ｃを閉じるための緊縛部兼把持部である。袋本体１の製作素材としては、透明又は半透明の軟質合成樹脂フィルムであるポリオレフィン系合成樹脂材、例えば、ポリプロピレン樹脂等が焼却処理時の無公害素材として選択される。
【００２６】
図１に示すように、袋本体１の高さＨ及び巾寸法Ｗは、少なくともハシブトガラスの絵、又は写真２の寸法Ｃより大としている。袋本体１の高さ寸法Ｈは、例えば、６３ｃｍ、巾寸法Ｗは、５０ｃｍとし、ハシブトガラスの絵、又は写真２の寸法Ｃは、３２ｃｍ以上としている。袋本体１の開口１ｃからハシブトガラスの絵、又は写真２の頭部２ａまでの寸法Ｈ１（上余白部１ｂ）は、２４．５ｃｍ、袋本体１の底部１ｄからハシブトガラスの絵、又は写真２の翼先端部２ｄ間の寸法Ｈ２（下余白部１ｂ）は、２４．５ｃｍ、左余白部１ｂの寸法Ｗ１は、１４ｃｍ、右余白部１ｂの寸法Ｗ２は、８．５ｃｍとしている。ハシブトガラスの絵、又は写真２の頭部２ａ、顔面２ｂ及び嘴２ｃは、左向き又は右向きに描かれているか、又は写されたものとしている。
【００２７】
図２（Ａ）及び図２（Ｂ）は、袋本体１に表示されたハシブトガラスの立体状眼玉３である。本考案者は、袋本体１に表示されたハシブトガラスの眼玉が、絵又は写真であっても、本者のハシブトガラスに脅威又は警戒心を与える効果があることを確認しているが、さらに、その眼玉を本物に見せるために、立体状眼玉３とすることが好ましい。ハシブトガラスの立体状眼玉３は、円形台板からなる白目部３ａ、円形で黒色の黒目部３ｂ、硬質樹脂材からなる透明な円形ケース３ｃ及び接着剤３ｄからなっている。
【００２８】
図３は、ゴミ袋Ｇの袋本体１の裏面４を表示するもので、該裏面４には、例えば、「出すときは袋の口をしばって下さい。」又は、「ステーションでは、カラスの絵、又は写真を、本物のハシブトガラスに見せつけるようにおいて下さい。」等のゴミ袋Ｇの使用法４ａ、「ゴミ袋は、収集日の当日８時までに決められたステーションに出して下さい。」又は、「台所ごみは、十分水切りをして出して下さい。」等のお願い４ｂ、さらにゴミ袋Ｇの収集者である自治体の名称４ｃ等が表記されている。
【００２９】
図４は、台所ごみ等をゴミ袋Ｇに収納した後、緊縛部兼把持部１ｅを緊縛した状態を示し、ハシブトガラスの絵、又は写真２は、袋本体１のほぼ中央に位置づけされ、ハシブトガラスの頭部２ａ、顔面２ｂ、嘴２ｃはもちろん、袋本体１の下方の爪部２ｅ及び翼先端部２ｄも、隠蔽されることなく、袋本体１の正面部表面１ａに表示されて使用されるものである。
【００３０】
以下、本考案に係るゴミ袋に関し、その効果を確認するために行った、本考案者による実験観察記録を詳述する。
１．実験対象カラス：ハシブトガラス、ハシボソガラス
２．準備、設定状況：生ごみ入りゴミ袋の３袋を、ハシブトガラスの絵又は写真を外向                    きにして立てた。
：生サンマ（魚）を３ｃｍ巾の切身にし、ゴミ袋３袋の上に置いた。
：ゴミ袋３袋を、１．５ｍ、３ｍ、４．５ｍ間隔に離し、その両側                    に生サンマの切身をおいた。
１月２２日  天候：曇り
（１）１０時１５分〜１２時まで、広場、田圃の畦道にセットした。
（２）３分後、トビが２羽電線にとまり、１時間そのままだった。
（３）５分後、カラスが４羽来て、上空を旋回していたが、やがて１００ｍ位              先の田圃に降り、約１時間くらいじっと、餌を狙っている様子だった。
（４）生ごみ入りゴミ袋を１２時に持ち帰る途中、すぐにカラスが２羽来て、
サンマの切身をくわえて逃げた。
１月２３日  天候：小雪
（１）ＰＭ３時２０分〜ＰＭ４時３０分まで、同じ場所で１月２２日と同様に              セットした。
（２）３分後、カラスが６羽来た。
（３）４時頃に６羽の中の２羽のカラスが３ｍ、４．５ｍの先のサンマをくわ              えて逃げた。（餌のみ）
（４）４時３０分に生ごみ入りゴミ袋を持ち帰る途中に、残ったサンマをくわ              えて逃げた。（餌のみ）
（５）今日は天候が悪く、薄暗かった。
１月２４日  天候：小雪後晴れ
（１）９時４０分〜１２時まで、前日と同様に設置。
（２）３分後、トビが２羽、カラスが４羽電線にとまり、様子をうかがってい              た。
（３）１時間後、３ｍ、４．５ｍの離れた場所のサンマの切身を、２羽のカラ              スがくわえて逃げた。（餌のみ）
（４）１２時に生ゴミ袋を持ち帰る。１日目、２日目と同様、残った餌をすぐ              にくわえて逃げた。（餌のみ）
１月２５日  天候：曇り後晴れ
（１）今度は、ゴミ袋の設置場所を移動し、前の場所より４Ｋｍ先に、前日と              同様に設置。９時３０分〜１０時３０分まで。
（２）５分後、６羽のカラスが飛来したが、すぐに逃げた。
（３）この場所は、１時間で引き上げ、５００ｍ先に移動。１０時４０分〜                １１時４０分まで。
（４）５分後に４羽のカラスが来て、ゴミ袋の上空で旋回していたが、４羽と              も逃げていった。
（５）１時間後に引き上げた。
（６）後に、今までの場所にセットした。
（７）２分後、カラスが２羽飛来したが、変化がないので、１時間で中止した。
いずれの日においても、カラスはこの考案の袋に近づいたり、袋を破って中味を食べるという行動はしなかった。
【産業上の利用可能性】
【００３１】
本考案に係る、ゴミ袋Ｇは、都市部はもちろん、地方都市においても社会問題化しているハシブトガラスによる環境破壊を阻止することが可能であるから、ゴミ袋Ｇ処理問題で悩んでいる、多くの自治体による、本考案に係る、ゴミ袋Ｇの採用が期待される。
【図面の簡単な説明】
【００３２】
【図１】は、本考案に係る、ゴミ袋Ｇの正面図である。
【図２】（Ａ）は、立体状眼玉の正面図で、（Ｂ）は、図２（Ａ）におけるＢ−Ｂ線断面図ある。
【図３】は、本考案に係る、ゴミ袋Ｇの背面図である。
【図４】は、同ゴミ袋Ｇの使用態様を示す斜視図である。
【符号の説明】
【００３３】
Ｇ                ゴミ袋
Ｃ                ハシブトガラスの絵、又は写真の寸法
Ｈ                袋本体１の高さ寸法
Ｗ                同巾寸法
Ｈ１              上余白部の寸法
Ｈ２              下余白部の寸法
Ｗ１              左余白部の寸法
Ｗ２              右余白部の寸法
１                袋本体
１ａ              表面
１ｂ              余白部
１ｃ              開口
１ｄ              底部
１ｅ              緊縛部兼把持部
２                ハシブトガラスの絵、又は写真
２ａ              頭部
２ｂ              顔面
２ｃ              嘴
２ｄ              翼先端部
２ｅ              爪部
３                立体状眼玉
３ａ              白目部
３ｂ              黒目部
３ｃ              円形ケース
３ｄ              接着剤
４                袋本体１の裏面
４ａ              使用法
４ｂ              お願い
４ｃ              収集者の名称
【図１】
0003141367.tif 000003
【図２】
0003141367.tif 000004
【図３】
0003141367.tif 000005
【図４】
0003141367.tif 000006